(57)【特許請求の範囲】
【請求項１】
多数色を表示可能な表示手段を備えた携帯端末装置において、
各種機能設定操作時において、該各種機能設定操作画面を表示する複数のウィンドウを、それぞれ異なる表示色にて前記表示手段にマルチウィンドウ表示する表示制御手段と、
前記各種機能を設定操作する複数の入力キーからなり、該複数の入力キーをそれぞれ多数の点灯色にて点灯可能なキー操作部と、
前記マルチウィンドウ表示された前記複数のウィンドウのうち、アクティブなウィンドウの表示色と同一色にて前記複数の入力キーを点灯するよう、前記キー操作部の点灯色を制御する点灯色制御手段と、
前記アクティブなウィンドウにて設定操作可能な機能に応じて、前記入力キーの機能を切り替える機能切替手段とを備えたことを特徴とする携帯端末装置。
【請求項２】
前記機能切替手段により切り替えられた前記入力キーの機能を前記入力キーに表示する機能表示手段をさらに備えたことを特徴とする請求項１記載の携帯端末装置。
【請求項３】
多数色を表示可能な表示手段と、各種機能を設定操作する複数の入力キーからなり、該複数の入力キーをそれぞれ多数の点灯色にて点灯可能なキー操作部とを備えた携帯端末装置の表示制御方法において、
各種機能設定操作時において、該各種機能設定操作画面を表示する複数のウィンドウを、それぞれ異なる表示色にて前記表示手段にマルチウィンドウ表示し、
前記マルチウィンドウ表示された前記複数のウィンドウのうち、アクティブなウィンドウの表示色と同一色にて前記複数の入力キーを点灯するよう、前記キー操作部の点灯色を制御し、
前記アクティブなウィンドウにて設定操作可能な機能に応じて、前記入力キーの機能を切り替えることを特徴とする携帯端末装置の表示制御方法。
【請求項４】
前記切り替えられた前記入力キーの機能を前記入力キーに表示することを特徴とする請求項３記載の携帯端末装置の表示制御方法。
【請求項５】
多数色を表示可能な表示手段と、各種機能を設定操作する複数の入力キーからなり、該複数の入力キーをそれぞれ多数の点灯色にて点灯可能なキー操作部とを備えた携帯端末装置の表示制御方法をコンピュータに実行させるためのプログラムにおいて、
各種機能設定操作時において、該各種機能設定操作画面を表示する複数のウィンドウを、それぞれ異なる表示色にて前記表示手段にマルチウィンドウ表示する手順と、
前記マルチウィンドウ表示された前記複数のウィンドウのうち、アクティブなウィンドウの表示色と同一色にて前記複数の入力キーを点灯するよう、前記キー操作部の点灯色を制御する手順と、
前記アクティブなウィンドウにて設定操作可能な機能に応じて、前記入力キーの機能を切り替える手順とを有することを特徴とするプログラム。
【請求項６】
前記機能切替手段により切り替えられた前記入力キーの機能を前記入力キーに表示する手順をさらに有することを特徴とする請求項５記載のプログラム。
【発明の詳細な説明】
【０００１】
【発明の属する技術分野】
本発明は、多数色を表示可能な液晶モニタのような表示手段を備えた携帯端末装置、携帯端末装置の表示制御方法および携帯端末装置の制御方法をコンピュータに実行させるためのプログラムに関するものである。
【０００２】
【従来の技術】
携帯電話の普及には目覚ましいものがあり、これに応じて、多数色により文字や図形を表示可能な液晶モニタを備えた携帯電話も増えてきている。このような液晶モニタを備えた携帯電話において、着信時に電話帳データに登録されたグループに応じて表示色を変えたり、各種機能設定時において複数の設定項目からなる選択リストを表示する際に、現在選択されている設定項目の色をその他の設定項目の色とは異ならせて表示するようにしたものが提案されている（特開２００１−１１１６７５号公報）。また、パケット通信時において所定のパケット量を超えたときに液晶モニタの表示色を変更する方法（特開２００１−３１８７８２号公報）、電話帳に登録された発信者と登録されていない発信者とで液晶モニタの表示色を変更する方法（特開２０００−３５８０８６号公報）、電話帳に登録された発信者に応じて液晶モニタの表示色を変更する方法（特開２００１−２０８９７２号公報）等が提案されている。
【０００３】
ところで、近年、携帯電話の多機能化が進み、撮影により画像データを取得するカメラを備えたカメラ付き携帯電話が普及しつつある（例えば特開平６−２３３０２０号公報、特開２０００−２５３２９０号公報等）。このようなカメラ付き携帯電話においては、撮影により取得した自分の好みの画像データを携帯電話の待ち受け画面に設定したり、撮影により取得した画像データを電子メールに添付して友人に送信することができる。
【０００４】
【発明が解決しようとする課題】
このような携帯電話の多機能化はさらに進み、今後はさらに家電をリモコン操作するリモコン機能、クレジットカード機能、高速道路の料金所におけるＥＴＣゲート通過チェック機能等が加わる可能性もある。このように多機能化した携帯電話は便利ではあるものの、あまりに多機能化すると、携帯電話のユーザが現在操作している機能がどのような機能であるかが分からなくなってしまうおそれがある。また、多機能化により携帯電話に設定する事項も多くなるため、機能の設定中にどの設定項目を設定しているのかが分からなくなってしまうおそれもある。
【０００５】
本発明は上記事情に鑑みなされたものであり、携帯電話の操作時や設定時において、現在どの機能の操作や設定を行っているかを分かりやすくすることを目的とする。
【０００６】
【課題を解決するための手段】
本発明による携帯端末装置は、多数色を表示可能な表示手段を備えた携帯端末装置において、
各種機能設定時および該各種機能操作時（以下各種機能設定操作時とする）において、該各種機能設定画面および該各種機能操作画面（以下各種機能設定操作画面とする）を表示する複数のウィンドウを、それぞれ異なる表示色にて前記表示手段にマルチウィンドウ表示する表示制御手段を備えたことを特徴とするものである。
【０００７】
「異なる表示色にて表示する」とは、ウィンドウ全体の色を異なるものとするものであってもよく、ウィンドウの枠の色のみを異なるものとするものであってもよい。
【０００８】
なお、本発明による携帯端末装置においては、前記各種機能を設定および操作（以下設定操作とする）する複数の入力キーからなり、該複数の入力キーをそれぞれ多数の点灯色にて点灯可能なキー操作部と、
前記マルチウィンドウ表示された前記複数のウィンドウのうち、アクティブなウィンドウの表示色と同一色にて前記複数の入力キーを点灯するよう、前記キー操作部の点灯色を制御する点灯色制御手段とをさらに備えるものとしてもよい。
【０００９】
この場合、前記アクティブなウィンドウにて設定操作可能な機能に応じて、前記入力キーの機能を切り替える機能切替手段をさらに備えるようにしてもよい。
【００１０】
さらに、前記機能切替手段により切り替えられた前記入力キーの機能を前記入力キーに表示する機能表示手段をさらに備えるようにしてもよい。
【００１１】
本発明による携帯端末装置の表示制御方法は、多数色を表示可能な表示手段を備えた携帯端末装置の表示制御方法において、
各種機能設定操作時において、該各種機能設定操作画面を表示する複数のウィンドウを、それぞれ異なる表示色にて前記表示手段にマルチウィンドウ表示することを特徴とするものである。
【００１２】
なお、本発明による携帯端末装置の表示制御方法においては、前記携帯端末装置が、前記各種機能を設定操作する複数の入力キーからなり、該複数の入力キーをそれぞれ多数の点灯色にて点灯可能なキー操作部を備えてなる場合、
前記マルチウィンドウ表示された前記複数のウィンドウのうち、アクティブなウィンドウの表示色と同一色にて前記複数の入力キーを点灯するよう、前記キー操作部の点灯色を制御するようにしてもよい。
【００１３】
この場合、前記アクティブなウィンドウにて設定操作可能な機能に応じて、前記入力キーの機能を切り替えるようにしてもよい。
【００１４】
さらに、前記切り替えられた前記入力キーの機能を前記入力キーに表示するようにしてもよい。
【００１５】
なお、本発明による携帯端末装置の表示制御方法をコンピュータに実行させるためのプログラムとして提供してもよい。
【００１６】
【発明の効果】
本発明によれば、各種機能設定操作画面を表示する複数のウィンドウが、それぞれ異なる表示色にて表示手段にマルチウィンドウ表示される。このため、表示手段に表示して現在設定操作中の機能を一見して識別することができる。
【００１７】
また、各種機能を設定操作する複数の入力キーからなり、これら複数の入力キーを多数の点灯色にて点灯可能なキー操作部を備えるものとし、入力キーの点灯色をアクティブなウィンドウの表示色と同一とすることにより、現在設定操作中の機能を一層識別しやすくすることができる。
【００１８】
また、アクティブなウィンドウにて設定操作可能な機能に応じて、前記入力キーの機能を切り替えることにより、各種機能の設定操作を容易に行うことができる。
【００１９】
さらに、切り替えられた入力キーの機能を入力キーに表示することにより、入力キーの入力により行われる設定操作を一見して認識できるため、各種機能の設定操作をより容易に行うことができる。
【００２０】
【発明の実施の形態】
以下図面を参照して本発明の実施形態について説明する。図１は本発明の実施形態による携帯端末装置の一例である携帯電話の構成を示す概略図である。図１に示すように、本実施形態による携帯電話１は、本体２と、種々の表示を行う液晶モニタ３と、液晶モニタ３の下方に位置する種々の入力を行う数字キー、十字キー、操作ボタン等の複数の入力キーからなるキー操作部４と、キー操作部４の下方に位置する送話音を入力するためのマイク５と、液晶モニタ３の上方に位置する音声を出力するためのスピーカ６と、通信用のアンテナ７と、画像の撮影を行うカメラ８とを備える。
【００２１】
液晶モニタ３には、キー操作部４による操作に応じて、文字やマーク、イラスト等により電話番号や相手先名、各種メッセージ等の情報が表示される。さらに、着信音、着信画面および電話番号登録等の通話に関する設定、メール着信音、メール着信画面およびメールアドレス登録等のメールに関する設定、並びにカメラの機能の設定を行う際には設定に必要な設定リストが液晶モニタ３に表示される。また、通話操作時、メール操作時およびカメラ操作時においては、各操作において必要な操作リストが液晶モニタ３に表示される。また、キー操作部４における十字キーを操作することにより、液晶モニタ３に表示された画面をスクロールすることができる。また、リストの選択は数字キーのみならず、十字キーによる選択および操作ボタンによる決定操作により行うこともできる。
【００２２】
ここで本実施形態においては、各種機能の設定時および各種機能の操作時には、各種機能設定画面および各種機能操作画面が図１に示すようにマルチウィンドウ表示される。なお、図１においては通話、メールおよびカメラの設定画面をマルチウィンドウ表示した状態を示す。さらに、本実施形態においては、各設定画面および各操作画面のウィンドウの枠の色およびタブの色が設定内容および操作内容に応じてそれぞれ異なるものとなるように、液晶モニタ３の表示が制御される。
【００２３】
また、本実施形態においては、キー操作部４の入力キーがＬＥＤにより多数の点灯色にて点灯可能とされており、マルチウィンドウ表示された複数のウィンドウのうち、アクティブなウィンドウの枠の色と同一色となるように入力キーが点灯される。
【００２４】
以上の液晶モニタ３の表示と入力キーのＬＥＤの点灯は、本体２の内部に設けられた制御部により行われる。
【００２５】
図２は、制御部の構成を示す概略ブロック図である。図２に示すように、制御部１０は、液晶モニタ３に表示する画面の表示内容を表す情報を記憶したメモリ１１と、キー操作部４による操作に応じてメモリ１１から画面の表示内容を表す情報を読み出して液晶モニタ３に表示する表示制御手段１２と、入力キーを点灯するための多数色のＬＥＤ発光手段１３と、液晶モニタ３にマルチウィンドウ表示された複数のウィンドウのうちアクティブなウィンドウの色と入力キーの点灯色とが同一となるように、表示制御手段１２からの指示に応じてＬＥＤ発光手段１３の点灯を制御する点灯色制御手段１４と、アクティブなウィンドウにおいて設定および操作可能な内容に応じて、キー操作部４における入力キーの機能を切り替える機能切替手段１５と、機能切替手段１５において切り替えられた入力キーの機能を入力キーに表示する機能表示手段１６とを備える。
【００２６】
なお、機能切替手段１５および機能表示手段１６が行う処理については後述する。
【００２７】
メモリ１１に記憶された画面の表示内容を表す情報は、通話、メールおよびカメラの設定画面および操作画面をマルチウィンドウ表示するに際し、例えば通話は赤、メールは緑、カメラは青、というように各設定画面および各操作画面のウィンドウ枠の色を設定する情報である。ここで、マルチウィンドウ表示においては、アクティブなウィンドウが前面に表示されるため、例えば、図１においては通話の設定画面のウィンドウがアクティブな状態にある場合には、ウィンドウの枠が赤色に表示される。
【００２８】
ＬＥＤ発光手段１３は、入力キーがアクティブなウィンドウ枠の色と同一色にて点灯されるように、赤、緑および青の各色のＬＥＤを各入力キー毎に備えてなるものである。
【００２９】
次いで、本実施形態の動作について説明する。図３は本実施形態の動作を示すフローチャートである。なお、本実施形態においては、携帯電話１の電源がオンとされ、着信を待ち受けている状態を初期状態とする。また、通話、メールおよびカメラの設定画面が表示されるものとして説明する。
【００３０】
まず、キー操作部４が操作されたか否かが判定され（ステップＳ１）、その操作が通話に関する設定画面の表示操作である場合には、メモリ１１から通話の表示内容の情報が読み出され（ステップＳ２）、図１に示すように通話の設定画面のウィンドウ（通話ウィンドウとする）がアクティブな状態とされたマルチウィンドウが液晶モニタ３に表示される（ステップＳ３）。この状態においては、ウィンドウの枠の色は赤色となっている。これとともに、点灯色制御手段１４によりＬＥＤ発光手段１３における赤色のＬＥＤが点灯されて（ステップＳ４）、キー操作部４の各入力キーの点灯色が赤色となる。また、ウィンドウ内には、「着信音設定」、「着信音量設定」、「電話帳」等の通話についての設定項目が表示される。これにより、携帯電話１のユーザは、現在行っている設定が通話に関するものであることを液晶モニタ３およびキー操作部４を一見するのみで認識することができる。
【００３１】
一方、キー操作部４の操作がメールに関する設定画面の表示操作である場合には、メモリ１１からメールの表示内容の情報が読み出され（ステップＳ５）、図４に示すようにメールの設定画面のウィンドウ（メールウィンドウとする）がアクティブな状態とされたマルチウィンドウが液晶モニタ３に表示される（ステップＳ６）。この状態においては、ウィンドウの枠の色は緑色となっている。これとともに、ＬＥＤ発光手段１３における緑色のＬＥＤが点灯されて（ステップＳ７）、キー操作部４の各入力キーの点灯色が緑色となる。また、ウィンドウ内には、「メール着信音設定」、「メール着信音量設定」、「メールを見る」等のメールについての設定項目が表示される。これにより、携帯電話１のユーザは、現在行っている設定がメールに関するものであることを液晶モニタ３およびキー操作部４を一見するのみで認識することができる。
【００３２】
さらに、キー操作部４の操作がカメラに関する設定画面の表示操作である場合には、メモリ１１からカメラの表示内容の情報が読み出され（ステップＳ８）、図５に示すようにカメラの設定画面のウィンドウ（カメラウィンドウとする）がアクティブな状態とされたマルチウィンドウが液晶モニタ３に表示される（ステップＳ９）。この状態においては、ウィンドウの枠の色は青色となっている。これとともに、ＬＥＤ発光手段１３における青色のＬＥＤが点灯されて（ステップＳ１０）、キー操作部４の各入力キーの点灯色が青色となる。また、ウィンドウ内には、「シャッタオン」、「待ち受け画面に設定」、「メール添付」等のカメラについての設定項目が表示される。これにより、携帯電話１のユーザは、現在行っている設定がカメラに関するものであることを液晶モニタ３およびキー操作部４を一見するのみで認識することができる。
【００３３】
このように、本実施形態によれば、各種機能設定画面を表示する複数のウィンドウの枠を、それぞれ異なる表示色にて液晶モニタ３にマルチウィンドウ表示するようにしたため、携帯電話１のユーザは、現在設定中の機能を一見して識別することができる。
【００３４】
また、キー操作部４の入力キーの点灯色をアクティブなウィンドウの表示色と同一としているため、現在設定中の機能を一層識別しやすくすることができる。
【００３５】
なお、上記実施形態においては、通話、メールおよびカメラの設定画面をマルチウィンドウ表示しているが、通話、メールおよびカメラの操作画面をマルチウィンドウ表示してもよい。
【００３６】
また、上記実施形態においては、設定画面においては設定項目がリスト表示されるが、設定項目を選択した際に選択した設定項目の下層にさらに複数の設定項目が存在する場合がある。例えば、メール関係の設定において、「メールを見る」を選択した場合、送信メールを見る設定項目、受信メールを見る設定項目、およびメールについてのユーザ情報の設定する設定項目等が存在する。このため、図６に示すように、メール関係の設定における下層の設定項目についても、各設定項目毎の表示画面についてサブウィンドウを作成し、各サブウィンドウをマルチウィンドウ表示することが好ましい。この際、マルチウィンドウ表示される各サブウィンドウの枠を表示画面に応じて異なる表示色とし、さらにキー操作部４の入力キーもアクティブなサブウィンドウの色と同一の点灯色とすることが好ましい。
【００３７】
また、上記実施形態において、アクティブなウィンドウにおいて設定および操作可能な機能に応じて、機能切替手段１５によりキー操作部４の機能を切り替えるようにしてもよい。例えば、カメラの操作画面のウィンドウがアクティブな状態においては、入力キーの「１」が連写、「２」がズーム、「３」がシャッタの機能を有するものとしてもよい。また、メールの操作画面のウィンドウがアクティブな状態においては、入力キーの「１」が受信メールの表示、「２」が送信メールの表示を行う機能を有するものとしてもよい。
【００３８】
さらに、アクティブなウィンドウにおいて設定および操作可能な機能に応じて、機能表示手段１６により入力キーの表示を変更してもよい。例えば、カメラの操作画面のウィンドウがアクティブな状態において、入力キーの「１」が連写、「２」がズーム、「３」がシャッタの機能を有する場合には、図７（ａ）に示すように入力キーの「１」に「連写」、「２」に「ズーム」、「３」に「シャッタ」を表示すればよい。また、メールの操作画面のウィンドウがアクティブな状態において、入力キーの「１」が受信メールの表示、「２」が送信メールの表示を行う機能を有する場合には、図７（ｂ）に示すように、入力キーの「１」に「受信」、「２」に「送信」を表示すればよい。
【００３９】
また、メール作成を行う場合には、図８（ａ）に示すように入力キーの表示を仮名表示に変更したり、図８（ｂ）に示すようにアルファベット表示に変更してもよい。
【００４０】
さらに、上記実施形態においては設定画面および操作画面に応じてウィンドウの枠の色を変更しているが、ウィンドウ全体の色を変更するようにしてもよい。
【図面の簡単な説明】
【図１】本発明の実施形態による携帯端末装置の一例である携帯電話の構成を示す概略図
【図２】制御部の構成を示す概略ブロック図
【図３】本実施形態の動作を示すフローチャート
【図４】メールウィンドウがアクティブな状態を示す図
【図５】カメラウィンドウがアクティブな状態を示す図
【図６】マルチウィンドウ表示されたサブウィンドウを示す図
【図７】（ａ）はカメラの操作機能が表示された入力キー、（ｂ）はメールの操作機能が表示された入力キーを示す図
【図８】（ａ）は仮名表示された入力キー、（ｂ）はアルファベット表示された入力キーを示す図
【符号の説明】
１    携帯電話
２    本体
３    液晶モニタ
４    キー操作部
５    マイク
６    スピーカ
７    アンテナ
８    カメラ
１０    制御部
１１    メモリ
１２    表示制御手段
１３    ＬＥＤ発光手段
１４    点灯色制御手段
１５    機能切替手段
１６    機能表示手段
【図１】
0004132902.tif 000002
【図２】
0004132902.tif 000003
【図３】
0004132902.tif 000004
【図４】
0004132902.tif 000005
【図５】
0004132902.tif 000006
【図６】
0004132902.tif 000007
【図７】
0004132902.tif 000008
【図８】
0004132902.tif 000009